(57)【要約】  本発明はアイテム表示制御方法に関する。本発明の実施形態によるアイテム表示制御方法は、複数の個別アイテムを表示する段階と、前記表示された個別アイテムのうちの２つ以上の個別アイテムへのタッチ入力を検出する段階と、少なくとも２つ以上のタッチ入力された複数の個別アイテムを含むフォルダアイテムのアウトラインを表示する段階と、及びタッチ解除入力時、前記アウトライン内に前記タッチ入力された個別アイテムをグルーピングするフォルダアイテムを生成して表示する段階と、を含む。
2014514674.tif 000002
【特許請求の範囲】
【請求項１】
制御部で動作可能な、複数のアイテムの表示を制御する方法であって、
複数の個別アイテムを表示する段階と、
前記表示された個別アイテムのうちの２つ以上の個別アイテムへのタッチ入力を受信する段階と、
タッチ入力を受けた少なくとも２つ以上の個別アイテムに対して生成されるフォルダアイテムのアウトラインを表示する段階と、及び
タッチ解除入力時、前記アウトライン内にタッチ入力を受信した少なくとも２以上の個別アイテムを表すフォルダアイテムを生成して表示する段階と、を含むことを特徴とするアイテム表示制御方法。
【請求項２】
前記フォルダアイテムは、
前記少なくとも２つ以上の個別アイテムの面積より広い面積から構成されることを特徴とする、請求項１に記載のアイテム表示制御方法。
【請求項３】
前記アウトラインを表示する段階は
前記タッチ入力を受信した個別アイテムのうちの少なくとも一つの個別アイテムを含むようにフォルダアイテムの面積内で生成位置を決定する段階を含むことを特徴とする、請求項２に記載のアイテム表示制御方法。
【請求項４】
前記アウトラインを表示する段階は、
前記タッチ入力を受信した個別アイテムが統合された形態でアウトラインを生成する段階を含むことを特徴とする、請求項３に記載のアイテム表示制御方法。
【請求項５】
前記アウトラインを表示する段階は、
前記タッチ入力を受信した個別アイテムの個数を判定する段階と、
前記判定された個数に応じて生成されるフォルダアイテムの大きさを決定する段階と、
前記タッチ入力を受信した個別アイテムのうちの少なくとも一つの個別アイテムを含むようにフォルダアイテムの生成位置を決定する段階と、及び
前記決定した位置に生成されるフォルダアイテムのアウトラインを表示する段階を含むことを特徴とする、請求項1に記載のアイテム表示制御方法。
【請求項６】
前記タッチ入力を受信する段階であって、
タッチ位置移動動作の入力を検出する段階をさらに含むことを特徴とする、請求項１に記載のアイテム表示制御方法。
【請求項７】
前記フォルダアイテムを表示する段階は、
タッチ解除が入力される段階と、
前記タッチ入力を受信した個別アイテムが一つで統合される効果イメージを表示する段階と、及び
前記タッチ入力を受信した個別アイテムのうちのいずれか１つの個別アイテムのイメージで前記フォルダアイテムを構成して表示する段階を含むことを特徴とする、請求項１に記載のアイテム表示制御方法。
【請求項８】
予め設定されたキー入力時、フォルダアイテムイメージ変更メニューを表示する段階と、
前記フォルダアイテムイメージ変更メニュー選択時、前記フォルダアイテムでグルーピングされた個別アイテムのリストを表示する段階と、及び
いずれか１つの個別アイテムが選択されると、前記選択された個別アイテムのイメージを前記フォルダアイテムのイメージから構成して表示する段階をさらに含むことを特徴とする、請求項１に記載のアイテム表示制御方法。
【請求項９】
前記決定する段階は、
前記タッチ入力を受信した個別アイテムが全て隣接するのか判定する段階と、
全て隣接したと判定すれば、前記タッチ入力を受信したアイテムを全て含むようにフォルダアイテムの生成位置を決定する段階と、
少なくとも一つの個別アイテムが離隔されたと判定すれば、隣接した個別アイテム別でグルーピングする段階と、及び
個別アイテムの個数が最大であるグループを含むように前記フォルダアイテムの生成位置を決定する段階と、を含むことを特徴とする、請求項３に記載のアイテム表示制御方法。
【請求項１０】
前記フォルダアイテムを表示する段階は、
前記アウトラインの外部に位置する個別アイテムが存在するのか判定する段階、及び
存在すると判定すれば、前記アウトラインの外部に位置する個別アイテムを前記アウトライン内で移動させて表示する段階をさらに含むことを特徴とする、請求項９に記載のアイテム表示制御方法。
【請求項１１】
前記フォルダアイテムを表示する段階は、
前記アウトライン内にタッチ入力を受信しない個別アイテムが存在するのか判定する段階と、
存在すると判定すれば、前記タッチ入力を受信しない個別アイテムを前記アウトラインの外部に移動させて表示する段階と、及び
前記アウトライン内にフォルダアイテムを生成して表示する段階と、を含むことを特徴とする、請求項１に記載のアイテム表示制御方法。
【請求項１２】
処理部で動作可能な、表示部の複数のアイテムを表示することを制御する方法であって、
少なくとも２つ以上の表示された個別アイテムへのタッチ、タッチ位置移動動作及びタッチ解除入力を受信する段階と、
前記タッチ入力を受信した個別アイテムとタッチ位置移動経路に位置する個別アイテムに削除アイコンを表示する段階と、
生成されるフォルダアイテムのアウトラインを表示する段階と、及び
特定キー入力時、前記削除アイコンが表示された個別アイテムをグルーピングするフォルダアイテムを生成して表示する段階と、を含むことを特徴とするアイテム表示制御方法。
【請求項１３】
削除アイコン入力時、当該個別アイテムから前記削除アイコンを削除して表示する段階、及び
前記アウトラインへのタッチ後にタッチ位置移動動作入力時、前記タッチ位置移動動作に応じて前記アウトラインを移動させて表示する段階をさらに含むことを特徴とする、
請求項１２に記載のアイテム表示制御方法。
【請求項１４】
複数の個別アイテムを表示する表示部と、
前記表示された複数の個別アイテムのうちの２つ以上の個別アイテムへのタッチ入力を検出するタッチセンサー部と、及び
前記タッチ入力された個別アイテムのうちの少なくとも一つの個別アイテムを含むようにフォルダアイテムの生成位置を決めて、前記表示部に前記決定された生成位置にフォルダアイテムのアウトラインを表示し、前記タッチセンサー部からタッチ解除入力を検出すると、前記アウトライン内に前記タッチ入力された個別アイテムをグルーピングするフォルダアイテムを生成して、前記表示部を制御して前記生成されたフォルダアイテムを表示する制御部と、を含むことを特徴とする表示装置。
【請求項１５】
前記制御部は、
前記タッチ入力された個別アイテムのうちのいずれか１つの個別アイテムのイメージで前記フォルダアイテムのイメージを構成し、前記表示部を制御して前記フォルダアイテムを表示することを特徴とする、請求項１４に記載の表示装置。
【請求項１６】
表示部と、
入力部と、及び
複数の個別アイテムを表示部に表示して、前記個別アイテムの相応する位置に対して前記入力部から少なくとも２つ以上のタッチ入力を受信して、前記入力部からタッチ入力を受信した個別アイテムを含むアウトラインを前記表示部に形成して、前記アウトラインに基づいて位置を決定し、前記アウトライン内のタッチ入力を受信した前記個別アイテムを前記表示部から除去し、前記決定された位置の前記アウトラインに前記除去された個別アイテムを代表するフォルダアイテムを前記表示部に表示されるコードを有するメモリーと通信する処理部と、を含むことを特徴とする端末機。
【請求項１７】
前記処理部が前記アウトライン内に含まれた前記個別アイテムのうちのいずれか１つによって前記アウトラインを確認する前記コードに近付くことを特徴とする、請求項１６に記載の端末機。
【請求項１８】
前記処理部が前記アウトライン内のタッチ入力を受信できない個別アイテムを除去するために前記コードに近付くことを特徴とする、請求項１６に記載の端末機。
【請求項１９】
前記アウトラインは、前記タッチ入力を受信した隣接した個別アイテムの個数が最大であるグループを含むように形成されることを特徴とする、請求項１６に記載の端末機。
【請求項２０】
前記アウトラインの位置は、タッチ入力を受信した個別アイテムの中間点で決定されることを特徴とする、請求項１９に記載の端末機。
【発明の詳細な説明】
【技術分野】
【０００１】
本発明は、アイテム表示制御方法に関し、特に複数の個別アイテムをグルーピングするフォルダアイテム構成時のアイテム表示制御方法に関する。
【背景技術】
【０００２】
一般的に、携帯用端末機(例えば、移動通信端末機)のホーム(ｈｏｍｅ)画面又はメインメニュー画面は複数のアイコンから構成される。各アイコンは、端末機にとって連結機能を行なう原因を実行する時、アプリケーションプログラム又はプロセスを表すことができる。スマートフォン(ｓｍａｒｔ  ｐｈｏｎｅ)の場合、ユーザがアプリケーションをダウンロードすると、当該アプリケーションの実行アイコンがホーム画面又はメインメニュー画面に追加されて表示される。実行アイコンが押されると当該のアプリケーションプログラムが実行されることができ、スマートフォンや携帯用端末機の操作が伝達され、部分的にアプリケーションプログラムに係るタスクや機能が完了される。
【発明の概要】
【発明が解決しようとする課題】
【０００３】
近年、アプリケーションをカテゴリー別に分類して管理するフォルダ機能が追加され、ユーザはホーム画面又はメインメニュー画面にフォルダを構成し、同一カテゴリーと判定されるアプリケーションを一つのフォルダで管理することができる。
【０００４】
ところで、現在の移動通信端末機はフォルダを構成する時、フォルダの生成結果に限って表示するだけ、フォルダ生成過程と配置領域に対する視覚的なインターフェースは提供していない。
【０００５】
さらに、一般的にフォルダの大きさがアプリケーション実行アイコンの大きさと同一、或いは類似で複数のアプリケーション実行アイコンとフォルダが集まっている場合、フォルダの識別が容易ではないという問題点がある。
【課題を解決するための手段】
【０００６】
本発明の目的は、ユーザが複数の個別アイテムでフォルダ生成時、フォルダ生成過程と配置領域に対する視覚的なインターフェースを提供することができるアイテム表示制御方法を提供することにある。
【０００７】
本発明の他の目的は、フォルダと個別アイテムの識別を容易にするアイテム表示制御方法を提供することにある。
【０００８】
本発明のまた他の目的は、上記方法を具現する表示装置を提供することにある。
【発明の効果】
【０００９】
本発明の一実施形態によるアイテム表示制御方法は、複数の個別アイテムを表示する段階と、上記表示された個別アイテムのうちの２つ以上の個別アイテムへのタッチ入力を検出する段階と、生成されるフォルダアイテムのアウトラインを表示する段階と、及びタッチ解除入力時、上記アウトライン内に上記タッチ入力された個別アイテムをグルーピングするフォルダアイテムを生成して表示する段階と、を含む。
【００１０】
本発明の他の実施形態によるアイテム表示制御方法は、複数の個別アイテムを表示する段階と、上記表示された個別アイテムのうちの２つ以上の個別アイテムへのタッチ、タッチ位置移動動作及びタッチ解除入力を検出する段階と、上記タッチ入力された個別アイテムとタッチ位置移動経路に位置する個別アイテムに削除アイコンを表示する段階と、生成されるフォルダアイテムのアウトラインを表示する段階と、及び特定キー入力時、上記削除アイコンが表示された個別アイテムをグルーピングするフォルダアイテムを生成して表示する段階と、を含む。
【００１１】
本発明の実施形態による表示装置は、複数の個別アイテムを表示する表示部と、上記表示された個別アイテムのうちの２つ以上の個別アイテムへのタッチ入力を検出するタッチセンサー部と、及び上記タッチ入力された個別アイテムのうちの少なくとも一つの個別アイテムを含むようにフォルダアイテムの生成位置を決定し、上記表示部に上記決定された生成位置にフォルダアイテムのアウトラインを表示し、上記タッチセンサー部からタッチ解除入力を検出すると、上記アウトライン内に上記タッチ入力された個別アイテムをグルーピングするフォルダアイテムを生成し、上記表示部を制御して上記生成されたフォルダアイテムを表示する制御部と、を含む。
【００１２】
本発明によれば、フォルダ生成過程で、生成されるフォルダのアウトラインを表示するのでユーザはフォルダが生成される前にフォルダの配置領域と形態を予め分かる。また、フォルダを個別アイテムと大きさを異にして表示することによって、フォルダと個別アイテムの識別を容易にすることができる。
【図面の簡単な説明】
【００１３】
【図１】本発明の実施形態による表示装置１００の内部構成図である。
【図２】本発明の実施形態による表示装置１００のアイテム表示制御方法を説明するフローチャートである。
【図３】図２の過程によって表示される表示装置１００の画面例示図である。
【図４】本発明の実施形態によってフォルダアイテムイメージ又はフォルダアイテム名称を変更する形態を示した図面である。
【図５】図２の２０３段階の詳細過程を示したフローチャートである。
【図６】図２及び図５の過程によって表示される表示装置１００の画面例示図である。
【図７】図２の２０６段階の詳細過程を示したフローチャートである。
【図８】図２及び図７の過程によって表示される表示装置１００の画面例示図である。
【図９】個別アイテムの配置形態によってフォルダアイテムの形態が決定される実施形態の例示画面である。
【図１０】他の実施形態による表示装置１００のアイテム表示制御方法を説明するフローチャートである。
【図１１】図１０の過程によって表示される表示装置１００の画面例示図である。
【発明を実施するための形態】
【００１４】
本発明において、「アイテム(ｉｔｅｍ)」はホーム画面又はメインメニュー画面に表示されるグラフィック客体を意味する。本発明において、「個別アイテム」は、アプリケーションを実行するためのアプリケーション実行アイコン、特定コンタクト(ｃｏｎｔａｃｔ)とのコミュニケーション(ｃｏｍｍｕｎｉｃａｔｉｏｎ)を実行したりコミュニケーション履歴を確認するためのコンタクトアイコンなどの特定機能を実行するインターフェースを提供するアイテムを意味する。本発明において、「フォルダアイテム」は、複数の個別アイテムをカテゴリー別で管理するインターフェースを提供するアイテムに該当する。フォルダアイテムには複数の個別アイテムが含まれて、フォルダアイテムに含まれる個別アイテムはホーム画面から削除される。ユーザがフォルダアイテムを選択すると、選択されたフォルダアイテムで分類される個別アイテムが表示される。
【００１５】
本発明の実施形態による表示装置は、携帯端末機となることができ、ＴＶ、モニターなどの非携帯ディスプレー装置となることもできる。携帯端末機の場合、移動通信端末機、携帯用マルチメディア再生装置(Ｐｏｒｔａｂｌｅ  Ｍｕｌｔｉｍｅｄｉａ  Ｐｌａｙｅｒ−ＰＭＰ)、個人情報端末機(Ｐｅｒｓｏｎａｌ  Ｄｉｇｉｔａｌ  Ａｓｓｉｓｔａｎｔ−ＰＤＡ)、ＭＰ３プレーヤーなどの情報通信機器及びマルチメディア機器となることができる。以下では移動通信端末機に関する表示装置に対して説明する。一方、本明細書及び図面に開示された本実施形態は本発明の記述内容を容易に説明して、発明の理解を助けるために特定形態を提示したものであって、本発明の範囲を限定するものではない。ここに開示された実施形態以外にも本発明の技術的思想に基づいた他の変形形態が実施可能であるということは本発明が属する技術分野で通常の知識を有する者に自明なものであろう。
【００１６】
図１は、本発明の実施形態による表示装置１００の内部構成図である。本発明の表示装置１００は、無線通信部１１０、記憶部１２０、タッチスクリーン部１３０、キー入力部１４０及び制御部１５０を含む。
【００１７】
無線通信部１１０は、表示装置１００の無線通信のための当該のデータの送受信機能を実行する。無線通信部１１０は送信される信号の周波数を上昇変換及び増幅するＲＦ送信機と、受信される信号を低雑音増幅して周波数を下降変換するＲＦ受信機などから構成される。また、無線通信部１１０は無線チャンネルを通じてデータを受信して制御部１５０に出力し、制御部１５０から出力されたデータを無線チャンネルを通じて送信する。無線通信部１１０は、移動通信網を通じて外部サーバーからアプリケーション関連データを受信して制御部１５０へ送信する。
【００１８】
記憶部１２０は、表示装置１００の動作に必要なプログラム及びデータを記憶する構成要素として、表示装置１００をブーティングさせるＯＳ(Ｏｐｅｒａｔｉｎｇ  Ｓｙｓｔｅｍ)、アプリケーション及びイメージ、オーディオ、ビデオなどのデータを記憶する。本発明において、記憶部１２０は個別アイテムを配列して個別アイテムでフォルダアイテムを構成するプログラムを記憶する。
【００１９】
タッチスクリーン部１３０は、タッチセンサー部１３１及び表示部１３２を含む。タッチセンサー部１３１は、ユーザのタッチ入力を検出する。タッチセンサー部１３１は静電容量方式(ｃａｐａｃｉｔｉｖｅ  ｏｖｅｒｌａｙ)のタッチ検出センサーから構成されることが好ましい。しかし、上記センサー以外にも物体の接触を検出することができる全ての種類のセンサー機器が本発明のタッチセンサー部１３１となることができる。タッチセンサー部１３１は、ユーザのタッチ入力を検出し、検出信号を発生させて制御部１５０へ送信する。上記検出信号にはユーザがタッチを入力した座標データが含まれる。ユーザがタッチ位置移動動作を入力した場合、タッチセンサー部１３１はタッチ位置移動経路の座標データを含む検出信号を制御部１５０へ送信する。
【００２０】
表示部１３２は、液晶表示装置(ＬＣＤ、Ｌｉｑｕｉｄ  Ｃｒｙｓｔａｌ  Ｄｉｓｐｌａｙ)、有機発光ダイオード(ＯＬＥＤ、Ｏｒｇａｎｉｃ  Ｌｉｇｈｔ  Ｅｍｉｔｔｉｎｇ  Ｄｉｏｄｅｓ)、能動型有機発光ダイオード(ＡＭＯＬＥＤ、Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅｓ)などから形成されてもよい。表示装置１００に記憶されたデータ又は入力されたデータをユーザに視覚的に提供する。表示部１３２は複数の個別アイテムを含むホーム画面又はメインメニュー画面を表示する。表示装置１００がフォルダアイテム生成過程に進入すると、表示部１３２は生成されるフォルダアイテムのアウトラインを個別アイテムと共に表示する。またフォルダアイテム生成完了命令が入力されると、表示部１３２はアウトライン内にフォルダアイテムを生成して表示する。
【００２１】
キー入力部１４０は、表示装置１００を制御するためのユーザのキー操作が入力されて入力信号を生成して制御部１５０に伝達する。キー入力部１４０は数字キー、方向キーを含むキーパッドから構成されることができ、表示装置１００の一面に所定の機能キーで形成されることができる。本発明の実施形態によってタッチスクリーン部１３０だけで全ての操作が可能な表示装置の場合にはキー入力部１４０が省略されることができる。その代りにタッチセンサー部１３１を通じて仮想のキーボードを表示部１３２に表示してもよい。
【００２２】
制御部１５０は、表示装置１００の全般的な動作を制御する構成要素である。本発明の制御部１５０は表示部１３２を通じて複数の個別アイテムを表示する。制御部１５０がタッチセンサー部１３１を通じて２以上の個別アイテムへのタッチ入力を検出すると、タッチ入力された個別アイテムのうちの少なくとも一つの個別アイテムを含むようにフォルダアイテムの生成位置を決定する。制御部１５０は表示部１３２を制御して決定された位置に生成するフォルダアイテムのアウトラインを表示する。制御部１５０はタッチセンサー部１３１からタッチ解除入力を検出すると、アウトライン内に上記タッチ入力された個別アイテムをグルーピングするフォルダアイテムを生成し、表示部１３２を制御して上記生成されたフォルダアイテムを表示する。
【００２３】
上記実施形態において制御部１５０は、一定個数の個別アイテムを統合した大きさでフォルダアイテムを構成して表示部１３２を制御して表示する。また制御部１５０は表示部１３２を制御してタッチ入力された個別アイテムのうちのいずれか１つの個別アイテムのイメージでフォルダアイテムを構成して表示する。
【００２４】
上記実施形態において制御部１５０は、タッチセンサー部１３１を通じて２以上の個別アイテムへのタッチ後、タッチ位置移動動作の入力を検出した時、フォルダアイテムの生成位置を決定し、表示部１３２を通じて生成されるフォルダアイテムのアウトラインを表示する。
【００２５】
本発明の他の実施形態において制御部１５０は、アウトラインを表示する時、タッチ入力された個別アイテムの個数を判定し、判定された個数に応じて生成されるフォルダアイテムの大きさを決定し、上記タッチ入力された個別アイテムのうちの少なくとも一つの個別アイテムを含むようにフォルダアイテムの生成位置を決定し、表示部１３２を制御して上記生成されるフォルダアイテムのアウトラインを上記決定された位置に表示する。
【００２６】
本発明のまた他の実施形態において制御部１５０は、表示部１３２を制御して複数の個別アイテムを表示し、タッチセンサー部１３１を通じて２以上の個別アイテムへのタッチ、タッチ位置移動動作及びタッチ解除入力を検出すると、表示部１３２を通じてタッチ入力された個別アイテムとタッチ位置移動経路に位置する個別アイテムに削除アイコンを表示し、生成されるフォルダアイテムのアウトラインを表示し、キー入力部１４０又はタッチスクリーン部１３０上の確認キー入力を検出すると、削除アイコンが表示された個別アイテムをグルーピングするフォルダアイテムを生成し、表示部１３２を制御して上記生成されたフォルダアイテムを表示する。
【００２７】
上記実施形態で制御部１５０は、タッチセンサー部１３１を通じて削除アイコン入力を検出すると、表示部１３２を制御して当該の個別アイテムで削除アイコンを削除して表示し、タッチセンサー部１３１を通じてアウトラインへのタッチ後、タッチ位置移動動作入力を検出すると、表示部１３２を制御してタッチ位置移動動作に応じてアウトラインを移動させて表示する。
【００２８】
以上、本発明の実施形態による表示装置１００の内部構成に対して説明した。制御部はメモリーと通信する一つ又はその以上の処理部から構成されてもよい。上記メモリーは処理部内に位置したり記憶部１２０とは区分されてもよい。上記メモリー内には処理部が上述された処理過程を実行させるソフトウェアコード形態のプログラムが記憶されてもよい。
【００２９】
図２は本発明の実施形態による表示装置１００のアイテム表示制御方法を説明するフローチャートである。
【００３０】
２０１段階で制御部１５０は、表示部１３２にとってホーム画面又はメイン画面に複数の個別アイテムを表示する。本発明において個別アイテムはアプリケーションを実行するためのアプリケーション実行アイコン、特定コンタクト(ｃｏｎｔａｃｔ)とのコミュニケーション(ｃｏｍｍｕｎｉｃａｔｉｏｎ)を実行するためのコンタクトアイコンなどの特定機能を実行するようにインターフェースを提供するアイテムに該当する。
【００３１】
ユーザがマルチタッチで複数の個別アイテムにタッチを入力すると、２０２段階で制御部１５０はタッチセンサー部１３１を通じて２以上の個別アイテムへのタッチ入力を検出する。
【００３２】
複数の個別アイテムへのタッチ入力を検出すると、２０３段階で制御部１５０はタッチ入力された個別アイテムのうちの少なくとも一つの個別アイテムを含むようにフォルダアイテムの生成位置を決定する。
【００３３】
本発明においてフォルダアイテムは複数の個別アイテムをカテゴリー別で管理するインターフェースを提供するアイテムに該当し、一定個数の個別アイテムの総サイズで構成されることが好ましい。例えば、フォルダアイテムは４個の個別アイテムの総サイズで構成されることができる。タッチ入力された個別アイテムの個数が３個である場合、制御部１５０は上記タッチ入力された３個の個別アイテムを含むようにフォルダアイテムの生成位置を決定することができる。また制御部１５０はタッチ入力された個別アイテムのうちで一部を含むようにフォルダアイテムの生成位置を決定することができる。
【００３４】
次に、制御部１５０は、２０４段階で表示部１３２を制御して２０３段階で決定された位置に生成するフォルダアイテムのアウトラインを表示する。フォルダアイテムのアウトラインはフォルダアイテムが生成される位置及び形態をユーザに通知する機能をする。
【００３５】
２０５段階で制御部１５０はタッチセンサー部１３１を通じてタッチ解除が発生するのか判定する。ユーザはフォルダアイテム生成過程を完了しようとする場合、個別アイテムでタッチを解除する。タッチ解除が発生しなければ、制御部１５０は２０４段階へ戻って表示部１３２を制御してアウトライン表示状態を維持する。タッチ解除が発生すると、２０６段階で制御部１５０は表示されたアウトライン内にフォルダアイテムを生成し、表示部１３２を制御して生成されたフォルダアイテムを表示する。ここで生成されるフォルダアイテムはタッチ入力された個別アイテムをグルーピングするフォルダアイテムに該当する。この時、制御部１５０はタッチ入力された個別アイテムのうちのいずれか１つの個別アイテムのイメージをフォルダアイテムのイメージから構成することができる。
【００３６】
本発明の実施形態によって制御部１５０は、２０２段階でタッチセンサー部１３１を通じて２以上の個別アイテムへのタッチ後、タッチ位置移動動作が入力されるのか判定することができる。この時、制御部１５０は、タッチセンサー部１３１を通じて一定地点を向ける複数のタッチ位置移動動作が入力されるのか判定することができる。例えば、ユーザが親指、人差し指、中指でそれぞれ個別アイテムをタッチした後、３個の指を集める動作を入力した場合、制御部１５０は一定地点を向ける複数のタッチ位置移動動作が入力されたと判定することができる。
【００３７】
本発明の実施形態によって制御部１５０は、２０６段階でフォルダアイテム生成時、表示部１３２を制御してアウトライン内でタッチ入力された個別アイテムが一つで統合される形態のイメージを表示した後、完成されたフォルダアイテムを表示する。個別アイテムが一つで統合されるイメージはどんな個別アイテムがフォルダアイテムから構成されるのかユーザが認知することができる。
【００３８】
本発明の実施形態によって制御部１５０は、２０３段階からタッチ入力された個別アイテムの個数を判定した後、判定された個数に応じて生成されるフォルダアイテムの大きさを決定し、上記タッチ入力された個別アイテムのうちの少なくとも一つの個別アイテムを含むようにフォルダアイテムの生成位置を決定する。
【００３９】
本発明の実施形態によって制御部１５０は、２０２段階でタッチセンサー部１３１を通じて２以上の個別アイテムへのタッチ入力を検出すると、予め設定された時間(Ｔ)の間タッチ入力が維持されるのか判定し、Ｔ以上タッチ入力が維持されると判定すると、２０３段階で進行してフォルダアイテム生成位置決定過程を実行する。
【００４０】
図３は、図２の過程によって表示される表示装置１００の画面例示図である。
【００４１】
図３の[ａ]は、複数の個別アイテムを含むホーム画面に該当する。個別アイテムとしては電子メール、カレンダーなどのアプリケーションを実行するためのアプリケーション実行アイコンと写真イメージから構成されるコンタクト(ｃｏｎｔａｃｔ)アイコンが含まれている。ユーザはコンタクトアイコンをタッチして該コンタクトとの通話、メッセージ、電子メールなどのコミュニケーション履歴を確認したりミュニケーションを実行することができる。
【００４２】
図３の[ｂ]は、ユーザが３個のコンタクトアイコン３１、３２、３３にタッチを入力した時に表示される画面である。図３の[ｂ]には３個のコンタクトアイコン３１、３２、３３の周りに沿って生成されるフォルダアイテムのアウトライン３４が表示されている。またアウトライン３４の大きさはコンタクトアイコン４個を統合した大きさで構成されている。図３の[ｂ]は制御部１５０が互いに隣接している３個のコンタクトアイコン３１、３２、３３を全て含むようにフォルダアイテムの生成位置を決定し、表示部１３２を制御して３個のコンタクトアイコン３１、３２、３３を含む形態のアウトライン３４を表示した結果に該当する。
【００４３】
図３の[ｃ]は、ユーザが３個のコンタクトアイコン３１、３２、３３でタッチを解除した時に表示される画面である。図３の[ｃ]は３個のコンタクトアイコン３１、３２、３３が一つで統合されるイメージ３５をアウトライン３４内に表示している。アイコンが一つで統合される切り替え効果(ｔｒａｎｓｉｔｉｏｎ  ｅｆｆｅｃｔ)イメージを表示することによって、ユーザに審美的な側面が付加したフィードバックを提供することができる。特に、ユーザはどんなアイコンがフォルダアイテムで統合されるかに対してフィードバックを受けることができる。
【００４４】
図３の[ｄ]は、フォルダアイテムの生成結果を表示する画面である。図３の[ｄ]には図３の[ｂ]のアウトライン３４に沿って形成されたフォルダアイテム３６が図示されている。フォルダアイテム３６は、タッチ入力されたコンタクトアイコン３１、３２、３３のうちの一つのコンタクトアイコン３３のイメージと同一イメージから構成されており、「ＰＥＯＰＬＥ」というフォルダ名称を共に表示している。図３の[ｄ]は、制御部１５０がタッチされた３個のコンタクトアイコン３１、３２、３３のうちのいずれか１つのコンタクトアイコンを選択し、当該のコンタクトアイコンのイメージでフォルダアイテム３６を構成した結果に該当する。
【００４５】
実施形態によってユーザが時間差を置いて３個のコンタクトアイコン３１、３２、３３にマルチタッチを入力した場合、制御部１５０は最初でタッチが入力されたコンタクトアイコンを検出し、当該のコンタクトアイコンのイメージでフォルダアイテム３６を構成することができる。３個のコンタクトアイコン３１、３２、３３はホーム画面から削除され、フォルダアイテム３６が３個のコンタクトアイコン３１、３２、３３を取り替える。
【００４６】
図３の[ｄ]でフォルダアイテム３６は個別アイテム(コンタクトアイコン又はアプリケーション実行アイコン)と異なる大きさで構成され、これはフォルダアイテムと個別アイテムが集まっている状況でフォルダアイテムの識別を容易にする。
【００４７】
本発明の実施形態によって制御部１５０は、表示部１３２を制御してフォルダアイテム表示時、フォルダアイテムメニューアイコンを共に表示する。ユーザがフォルダアイテムメニューアイコンにタッチを入力すると、制御部１５０は表示部１３２を制御して画面の特定領域に「フォルダアイテムイメージ変更メニュー」と「フォルダアイテム名称変更メニュー」を表示する。ユーザがフォルダアイテムイメージ変更メニューを選択すると、制御部１５０は表示部１３２を制御してフォルダアイテムでグルーピングされた個別アイテムリストを表示する。この時、制御部１５０は表示部１３２を制御してフォルダアイテムのイメージと同一イメージを有する個別アイテムには「チェック」マークを共に表示する。ユーザがいずれか一つの個別アイテムを選択すると、制御部１５０は表示部１３２を制御してユーザが選択した個別アイテムのイメージでフォルダアイテムのイメージを構成して表示する。ユーザがフォルダアイテム名称変更メニューを選択すると、制御部１５０は表示部１３２を制御してフォルダアイテム名称編集メニューを表示する。
【００４８】
図４は本発明の実施形態によってフォルダアイテムイメージ又はフォルダアイテム名称を変更する形態を示した図面である。
【００４９】
図４の[ａ]は、図３の[ｄ]に示されたフォルダアイテム３６に該当し、フォルダアイテム３６にはフォルダアイテムメニューアイコン４１が表示されている。図４の[ｂ]は、図４の[ａ]でユーザがフォルダアイテムメニューアイコン４１にタッチを入力した時、変更される画面である。図４の[ｂ]でフォルダアイテム３６の上部にはフォルダアイテムイメージ変更メニュー４２とフォルダアイテム名称変更メニュー４３が位置している。図４の[ｃ]は図４の[ｂ]でユーザがフォルダアイテムイメージ変更メニュー４２を選択した時、変更される画面に該当する。図４の[ｃ]は、フォルダアイテム３６の上部にフォルダアイテム３６でグルーピングされたコンタクトアイコン３１、３２、３３のリストを表示している。フォルダアイテム３６のイメージと同一イメージを有するコンタクトアイコン３３には「チェック」マークが表示されている。
【００５０】
図４[ｄ]は、図４の[ｃ]でユーザがコンタクトアイコン３２を選択した時、変更される画面に該当する。図４の[ｄ]でフォルダアイテム３６のイメージはコンタクトアイコン３２のイメージに変更されて表示される。このように、本発明ではユーザがフォルダアイテムの下位メニューを通じてフォルダアイテムのイメージを変更することができる。
【００５１】
図４の[ｅ]は、図４の[ｂ]でユーザがフォルダアイテム名称変更メニュー４３を選択した時に変更される画面に該当する。図４の[ｅ]はフォルダアイテム名称を変更することができる編集窓４４を表示している。ユーザは上記メニューを通じて望む名称でフォルダアイテム３６の名称を変更することができる。
【００５２】
図５は図２の２０３段階の詳細過程を示したフローチャートである。図５はタッチ入力された個別アイテムが互いに隣接しない場合、フォルダアイテムの生成位置を決定する過程の詳細過程に該当する。
【００５３】
図２の２０２段階でユーザによって２以上の個別アイテムでタッチが入力されると、５０１段階で制御部１５０はタッチ入力された個別アイテムが共に隣接したのか判定する。本発明で隣接した個別アイテムは個別アイテムが行列で配列されるホーム画面で左右方向又は上下方向に並んで配列された個別アイテムを意味する。
【００５４】
タッチ入力された個別アイテムが共に隣接したと判定すると、５０２段階で制御部１５０はタッチ入力された個別アイテムを共に含むようにフォルダアイテムの生成位置を決定する。例えば、生成されるフォルダアイテムの大きさが個別アイテムの大きさの４倍に該当して、ユーザが互いに隣接している３個の個別アイテムにマルチタッチを入力した場合、制御部１５０はタッチ入力された３個の個別アイテムを共に含むようにフォルダアイテムの生成位置を決定することができる。
【００５５】
５０１段階からタッチ入力された個別アイテムが全て隣接しないと判定する場合、制御部１５０は５０３段階で隣接した個別アイテム別にグルーピングする。例えば、ユーザが３個の個別アイテムにマルチタッチを入力したが、この中、２個の個別アイテムは互いに隣接しており、１個の個別アイテムは上記隣接した２個の個別アイテムと離隔された場合、制御部１５０は隣接した２個の個別アイテムを一つのグループで分類し、離隔された１個の個別アイテムに対して一つのグループで分類する。
【００５６】
次に、５０４段階で制御部１５０は個別アイテムの個数が最大であるグループを含むようにフォルダアイテムの生成位置を決定する。上記形態で、制御部１５０は隣接した２個の個別アイテムで分類されたグループを含むようにフォルダアイテムの生成位置を決定する。
【００５７】
ユーザがタッチ解除を入力すると、制御部１５０はフォルダアイテム生成過程を実行するのに、この時、表示部１３２を制御して離隔されている個別アイテムがフォルダアイテムに移動する形態のイメージを表示する。制御部１５０はフォルダアイテムのアウトライン内に含まれる個別アイテムに対しては表示部１３２を制御して一つで統合される形態のイメージを表示する。
【００５８】
制御部１５０はフォルダアイテムの生成位置の決定時、タッチ入力された個別アイテムを含みながらタッチ入力されない個別アイテムを含まない位置で決定することができ、タッチ入力された個別アイテムを含むと共にタッチ入力されない個別アイテムを最も少なく含む位置で決定することができる。
【００５９】
図６は図２及び図５の過程によって表示される表示装置１００の画面例示図である。
【００６０】
図６の[ａ]は、複数の個別アイテムを含むホーム画面を図示し、図６の[ｂ]はユーザが３個のコンタクトアイコン６１、６２、６３にタッチを入力した時に表示される画面である。図６の[ｂ]は、２つのコンタクトアイコン６１、６２を含むフォルダアイテムのアウトライン６４を表示している。アウトライン６４はコンタクトアイコン４個を統合した大きさで構成されており、コンタクトアイコン６３はコンタクトアイコン６１、６２と離隔されている。図６の[ｂ]は制御部１５０が互いに隣接したコンタクトアイコン６１、６２を含むようにフォルダアイテムの生成位置を決定し、表示部１３２を制御してコンタクトアイコン６１、６２を含む形態のアウトライン６４を表示した結果に該当する。
【００６１】
図６の[ｃ]は、ユーザが３個のコンタクトアイコン６１、６２、６３でタッチを解除した時に表示される画面である。図６の[ｃ]はコンタクトアイコン６１、６２が一つで統合されるイメージ６５とコンタクトアイコン６３がアウトライン６４内に移動する形態を図示する。図６の[ｃ]の画面を通じてユーザは３個のコンタクトアイコン６１、６２、６３が一つのフォルダアイテムで構成することがフィードバックされる。
【００６２】
図６の[ｄ]は、フォルダアイテムの生成結果を表示する画面である。図６の[ｄ]は図６の[ｂ]のアウトライン６４に沿って形成されたフォルダアイテム６６を示している。フォルダアイテム６６はコンタクトアイコン６３のイメージと同一イメージから構成され、「ＰＥＯＰＬＥ」というフォルダ名称を共に表示している。
【００６３】
図７は図２の２０６段階の詳細過程を示すフローチャートである。図７はフォルダアイテムのアウトライン内にタッチ入力されない個別アイテムが含まれている時のフォルダアイテム生成及び表示過程の詳細過程に該当する。
【００６４】
図２の２０５段階でタッチ解除が発生すると、７０１段階で制御部１５０はアウトライン内にタッチ入力されない個別アイテムが存在するのか判定する。生成されるフォルダアイテムの大きさは個別アイテムより大きいからフォルダアイテムのアウトライン内にはタッチ入力された個別アイテムだけではなく、タッチ入力されない個別アイテムも存在することができる。
【００６５】
アウトライン内にタッチ入力されない個別アイテムが含まれないと判定すると、制御部１５０は７０３段階へ進行してアウトライン内にフォルダアイテムを生成し、表示部１３２を制御して生成されたフォルダアイテムを表示する。
【００６６】
アウトライン内にタッチ入力されない個別アイテムが含まれると判定すると、制御部１５０は７０２段階で表示部１３２を制御してタッチ入力されない個別アイテムをアウトラインの外部に移動させて表示する。制御部１５０は表示部１３２を制御してタッチ入力された個別アイテムに対しては一つで統合されるイメージを表示しながら、タッチ入力されない個別アイテムに対してはアウトラインの外部に移動させて表示する。これにより、ユーザはどんな個別アイテムがフォルダアイテムに分類されるかに対してフィードバックを受けることができる。
【００６７】
図８は図２及び図７の過程によって表示される表示装置１００の画面例示図である。
【００６８】
図８の[ａ]は、ユーザが３個のコンタクトアイコン８１、８２、８３にタッチを入力した時、表示される画面である。図８の[ａ]は３個のコンタクトアイコンを含むフォルダアイテムのアウトライン８４を表示している。図８の[ａ]でアウトライン８４はコンタクトアイコン４個を統合した大きさで構成される。
【００６９】
図８の[ｂ]は、ユーザが３個のコンタクトアイコン８１、８２、８３でタッチを解除した時に表示される画面である。図８の[ｂ]はコンタクトアイコン８１、８２、８３が一つで統合されるイメージ８５とタッチが入力されないコンタクトアイコン８６がアウトライン８４の外部に移動される形態を示す。図８の[ｂ]の画面を通じてユーザはコンタクトアイコン８１、８２、８３が一つのフォルダから構成され、タッチが入力されないコンタクトアイコン８６はフォルダから除かれることを分かる。
【００７０】
図８の[ｃ]は、フォルダアイテムの生成結果を表示する画面である。図８の[ｃ]は、図８の[ａ]のアウトライン８４に沿って形成されたフォルダアイテム８７を示している。フォルダアイテム８７のイメージはコンタクトアイコン８２のイメージと同一イメージから構成される。また、図８の[ｃ]でユーザに選択されないコンタクトアイコン８６はフォルダアイテム８７の側面に表示される。
【００７１】
本発明の実施形態によって制御部１５０は、図２の２０３段階でフォルダアイテムの生成位置を決定する時、フォルダアイテムの形態を決定することができる。制御部１５０はユーザによってタッチ入力された個別アイテムの配置形状によってフォルダアイテムの形態を決定することができる。例えば、ユーザが「Ｌ」状に配置された３個の個別アイテムにマルチタッチを入力した場合、制御部１５０は「Ｌ」状でフォルダアイテムの形状を決定することができる。また、ユーザが「直線」状で配置された３個の個別アイテムにマルチタッチを入力した場合、制御部１５０は「直線」状でフォルダアイテムの形状を決定することができる。
【００７２】
図９は個別アイテムの配置形状によってフォルダアイテムの形状が決定される実施形態の例示画面である。
【００７３】
図９の[ａ]はユーザが「Ｌ」状に配置されたコンタクトアイコン９１、９２、９３にマルチタッチを入力した時に表示される画面である。図９の[ａ]は３個のコンタクトアイコン９１、９２、９３を含むフォルダアイテムのアウトライン９４を表示している。アウトライン９４は３個のコンタクトアイコン９１、９２、９３が配置された形状と同一形状から構成される。
【００７４】
図９の[ｂ]は、図９の[ａ]からつながるフォルダアイテムの生成結果を示した画面である。図９の[ｂ]は図９の[ａ]のアウトライン９４に沿って形成されたフォルダアイテム９５を示す。フォルダアイテム９５はコンタクトアイコン９１と同一イメージから構成される。またフォルダアイテム９５はコンタクトアイコン９１のイメージのうちの一部だけを表示している。
【００７５】
図９の[ｃ]は、ユーザが「直線」状で配置されたコンタクトアイコン９１、９２にマルチタッチを入力した時に表示される画面である。図９の[ｃ]は２つのコンタクトアイコン９１、９２を含むフォルダアイテムのアウトライン９６を表示している。アウトライン９６はコンタクトアイコン９１、９２が配置された形態と同一形状から構成される。
【００７６】
図９の[ｄ]は、図９の[ｃ]からつながるフォルダアイテムの生成結果を示した画面である。図９の[ｄ]には図９の[ｃ]のアウトライン９６に沿って形成されたフォルダアイテム９７が示している。フォルダアイテム９７はコンタクトアイコン９１と同一イメージから構成される。
【００７７】
ユーザはフォルダアイテムの形状を確認し、現在フォルダアイテムにいくつの個別アイテムが含まれているのか分かる。
【００７８】
図１０は本発明の他の実施形態による表示装置１００のアイテム表示制御方法を説明するフローチャートである。
【００７９】
１００１段階において制御部１５０は表示部１３２を通じて複数の個別アイテムを表示する。制御部１５０は表示部１３２を通じてホーム画面又はメインメニュー画面を表示し、上記画面で複数の個別アイテムを表示することができる。
【００８０】
ユーザがマルチタッチで複数の個別アイテムにタッチを入力すると、１００２段階で制御部１５０はタッチセンサー部１３１を通じて２以上の個別アイテムへのタッチ入力を検出する。以後、ユーザがタッチ位置移動動作を入力してタッチを解除すると、制御部１５０はタッチセンサー部１３１を通じてタッチ位置移動動作とタッチ解除入力を検出する。本発明でタッチ位置移動動作は予め設定された速度以上に移動するフリック(ｆｌｉｃｋ)と予め設定された速度未満に移動するドラッグ(ｄｒａｇ)となることができる。
【００８１】
タッチ位置移動動作とタッチ解除入力を検出すると、制御部１５０は１００４段階からタッチ位置移動経路に位置する個別アイテムを確認する。以後、１００５段階で制御部１５０は表示部１３２を制御してタッチ入力された個別アイテムとタッチ位置移動経路に位置する個別アイテムに削除アイコンを表示する。本発明において削除アイコンはフォルダアイテムに含まない個別アイテムを選択するためのアイコンに該当する。ユーザが削除アイコンを選択すると、当該の個別アイテムはフォルダアイテムから構成される個別アイテムリストから除かれる。
【００８２】
１００６段階で制御部１５０は表示部１３２を制御して生成されるフォルダアイテムのアウトラインを表示する。制御部１５０は表示部１３２を制御して予め設定された領域(例えば、表示部１３２の中心領域)にアウトラインを表示する。また、制御部１５０は削除アイコンが表示された個別アイテムのうちのいずれか一つを含むようにフォルダアイテムの生成位置を決定し、表示部１３２を制御して上記決定された位置に生成されるフォルダアイテムのアウトラインを表示する。また、制御部１５０は削除アイコンが表示された個別アイテムを最大で含む位置をフォルダアイテムの生成位置に決定し、表示部１３２を制御して上記決定された位置に生成されるフォルダアイテムのアウトラインを表示する。また、制御部１５０はユーザがタッチ入力した個別アイテムの間の中間地点を中心にフォルダアイテムの生成位置を決定し、表示部１３２を制御して上記生成されるフォルダアイテムのアウトラインを表示する。
【００８３】
１００７段階で制御部１５０はタッチセンサー部１３１又はキー入力部１４０を通じて確認キーが入力されるのか判定する。本発明で確認キーはフォルダアイテム生成過程を完了するキーとして、ボタン式のキーから構成されることができ、表示部１３２上に表示される。例えば、確認キーはキー入力部１４０から構成されるホーム(ｈｏｍｅ)ボタンに該当することができ、表示部１３２に表示されるポップアップキーとなることもできる。
【００８４】
確認キーが入力されると判定すれば、制御部１５０は１００８段階でアウトライン内に削除アイコンが表示された個別アイテムをグルーピングするフォルダアイテムを生成し、表示部１３２を制御して生成されたフォルダアイテムを表示する。この時、制御部１５０はタッチ入力された個別アイテムのうちのいずれか１つの個別アイテムのイメージをフォルダアイテムのイメージから構成することができる。
【００８５】
１００７段階で確認キーが入力されないと判定すると、制御部１５０は１００９段階で削除アイコンが入力されるのか否かを判定する。削除アイコンが入力されると判定すると、制御部１５０は１０１０段階で表示部１３２を制御して当該の個別アイテムから削除アイコンを削除して表示する。この時、制御部１５０は削除アイコンが入力された個別アイテムをフォルダアイテムに含まれる個別アイテムリストから除く。以後、制御部１５０は１００７段階で進行して確認キーが入力されるのか判定し、入力されたと判定すれば、削除アイコンが入力された個別アイテムは除いて、削除アイコンが表示されている個別アイテムに対してだけグルーピングしてフォルダアイテムを生成する。
【００８６】
１００９段階で削除アイコンが入力されないと判定すると、制御部１５０は１０１１段階でタッチセンサー部１３１を通じてアウトラインにタッチ後、タッチ位置移動動作が入力されるのか判定する。タッチ後にタッチ位置移動動作が入力されたと判定すれば、制御部１５０は表示部１３２を制御してタッチ位置移動動作に応じてアウトラインを移動して表示する。以後、制御部１５０は１００７段階で進行して確認キーが入力されたと判定すれば、現在表示されているアウトライン内にフォルダアイテムを生成する。
【００８７】
図１１は図１０の過程によって表示される表示装置１００の画面例示図である。
【００８８】
図１１の[ａ]は複数の個別アイテムから構成されるホーム画面でユーザがコンタクトアイコン１１１、１１２、１１３にタッチを入力した後、コンタクトアイコン１１４を向ける方向にタッチ位置移動動作を入力する形態を示す。この時、ユーザのタッチ位置移動動作はコンタクトアイコン１１４上を通り過ぎることで仮定する。
【００８９】
図１１の[ｂ]はユーザの入力によって変更される画面に該当する。図１１の[ｂ]はユーザがタッチ入力したコンタクトアイコン１１１、１１２、１１３とタッチ位置移動経路上に位置するコンタクトアイコン１１４上に削除アイコン１１５を表示し、生成されるフォルダアイテムのアウトライン１１６を表示している。アウトライン１１６はコンタクトアイコン４個が統合された大きさで構成され、コンタクトアイコン１１３、１１４を含むように位置している。
【００９０】
図１１の[ｃ]はフォルダアイテムが生成された結果を示した画面である。図１１の[ｂ]でユーザが確認キーを入力すると、削除アイコン１１５が表示されているコンタクトアイコン１１１、１１２、１１３、１１４は画面から削除され、フォルダアイテム１１７が生成される。フォルダアイテム１１７は図１１の[ｂ]のアウトライン１１６内に形成される。図１１の[ｃ]でフォルダアイテム１１７は削除アイコン１１５が表示されたコンタクトアイコンうちのいずれか１つのコンタクトアイコン１１４のイメージから構成されている。
【００９１】
図１１の[ｄ]は図１１の[ｂ]でユーザがコンタクトアイコン１１４に含まれた削除アイコン１１５にタッチを入力した時に変更される画面に該当する。図１１の[ｄ]でコンタクトアイコン１１４には削除アイコン１１５が削除されて表示される。以後、ユーザが確認キーを入力すると、制御部１５０はコンタクトアイコン１１４を除いて、現在削除アイコン１１５が表示されたコンタクトアイコン１１１、１１２、１１３だけでフォルダアイテムを構成する。
【００９２】
図１１の[ｅ]は図１１の[ｂ]でユーザがアウトライン１１６にタッチ後、タッチ位置移動動作を入力した時、変更される画面に該当する。図１１の[ｂ]と比べて図１１の[ｅ]からアウトライン１１６は左側に移動されている。以後、ユーザが確認キーを入力すると、制御部１５０は表示部１３２を制御して移動されたアウトライン１１６にフォルダアイテムを生成して表示する。
【００９３】
本発明を通じて上述された方法は一般的な目的のコンピューターや特殊なプロセッサ、プログラミング、ＡＳＩＣやＦＰＧＡのような高精密のハードウェアなどに使用されるソフトウェアによって実行されるようにＣＤ、ＲＯＭ、ＲＡＭ、フロッピー（登録商標）ディスク、ハードディスク、光磁気ディスク、ネットワークダウンロード等の記録装置に記憶されてハードウェア、ソフトウェア又はコンピューターコードで使用されることができる。コンピューター技術分野でプロセッサやプログラミングの可能なハードウェアは上述された処理方法を実行するソフトウェアやコンピューターコードを記憶して受信するためのＲＡＭ  ＲＯＭ  Ｆｌａｓｈなどのメモリー要素を持っている。一般的な目的のコンピューターに上述された処理方法を実行するためのソフトウェアやコードをダウンしたり接続すると一般目的のコンピューターは少なくとも上述された処理方法を実行する特殊目的のコンピューターに変わる。
【００９４】
本発明によれば、ユーザは複数のタッチ入力でフォルダアイテム生成過程に進入することができ、フォルダアイテムを生成する前のフォルダアイテムのアウトラインを予め表示して生成されるフォルダアイテムの形状と大きさをユーザが分かる。また、フォルダアイテムの大きさを個別アイテムと差別化してフォルダアイテムと個別アイテムが密集している場合にもフォルダアイテムの識別を容易にする。
【符号の説明】
【００９５】
１００  表示装置
１１０  無線通信部
１１１、１１２、１１３、１１４  コンタクトアイコン
１１５  削除アイコン
１１６  アウトライン
１１７  フォルダアイテム
１２０  記憶部
１３０  タッチスクリーン部
１３１  タッチセンサー部
１３２  表示部
１４０  キー入力部
１５０  制御部
【図３】
2014514674.tif 000003
【図６】
2014514674.tif 000004
【図８】
2014514674.tif 000005
【図９（ａ）−９（ｂ）】
2014514674.tif 000006
【図９（ｃ）−９（ｄ）】
2014514674.tif 000007
【図１１（ａ）】
2014514674.tif 000008
【図１１（ｂ）】
2014514674.tif 000009
【図１１（ｃ）】
2014514674.tif 000010
【図１１（ｄ）】
2014514674.tif 000011
【図１１（ｅ）】
2014514674.tif 000012
【図１】
2014514674.tif 000013
【図２】
2014514674.tif 000014
【図４】
2014514674.tif 000015
【図５】
2014514674.tif 000016
【図７】
2014514674.tif 000017
【図１０】
2014514674.tif 000018
【国際調査報告】
2014514674.tif 000019
2014514674.tif 000020